(57)【要約】【課題】入浴の際に浴室内を設定温度まで効率よく暖房でき、利便性を向上させる。【解決手段】浴室暖房システム１は、浴室ＢＲ内に設置された浴槽ＢＴに湯水を供給する湯張り運転を実行可能な給湯装置２と、浴槽ＢＴの内壁に向けて湯水又は湯水に洗剤を混合した洗浄液を散布して浴槽ＢＴの内壁を洗浄する浴槽洗浄運転を実行可能な浴槽洗浄装置３と、浴室ＢＲ内を暖房する浴室暖房運転を実行可能な浴室暖房装置４と、給湯装置２、浴槽洗浄装置３及び浴室暖房装置４の運転制御を行う制御部８とを備え、制御部８は、湯張り運転が指示された時、浴槽洗浄運転と浴室暖房運転とを並行して実行させ、浴槽洗浄運転完了後に湯張り運転を実行させる。【選択図】図１
2020153583.tif 000002
【特許請求の範囲】
【請求項１】
浴室内に設置された浴槽に湯水を供給する湯張り運転を実行可能な給湯装置と、浴槽内壁に向けて湯水又は湯水に洗剤を混合した洗浄液を散布して浴槽内壁を洗浄する浴槽洗浄運転を実行可能な浴槽洗浄装置と、浴室内を暖房する浴室暖房運転を実行可能な浴室暖房装置と、給湯装置、浴槽洗浄装置及び浴室暖房装置の運転制御を行う制御部とを備えた浴室暖房システムであって、
制御部は、湯張り運転が指示された時、浴槽洗浄運転と浴室暖房運転とを並行して実行させ、浴槽洗浄運転完了後に湯張り運転を実行させることを特徴とする浴室暖房システム。
【請求項２】
制御部は、浴室暖房装置の最大暖房能力に応じて浴槽洗浄運転時に散布する湯水温を変更させることを特徴とする請求項１記載の浴室暖房システム。
【請求項３】
浴室の室温を測定する浴室温度測定部を備え、制御部は、浴室温度測定部で測定した浴室の室温に応じて浴槽洗浄運転時に散布する湯水温を変更させることを特徴とする請求項１又は２記載の浴室暖房システム。
【発明の詳細な説明】
【技術分野】
【０００１】
本発明は、浴室内に設置された浴槽に湯水を供給する湯張り運転を実行可能な給湯装置と、浴槽内壁に向けて湯水又は湯水に洗剤を混合した洗浄液を散布して浴槽内壁を洗浄する浴槽洗浄運転を実行可能な浴槽洗浄装置と、浴室内を暖房する浴室暖房運転を実行可能な浴室暖房装置と、給湯装置、浴槽洗浄装置及び浴室暖房装置の運転制御を行う制御部とを備えた浴室暖房システムに関する。
【背景技術】
【０００２】
従来、浴槽に湯水を供給する湯張り運転を実行可能な給湯装置と、浴室内を暖房する浴室暖房運転を実行可能な浴室暖房装置と、給湯装置及び浴室暖房装置の運転制御を行う制御部を有する浴室リモコンとを備えた浴室暖房システムが知られている（例えば、特許文献１参照）。この浴室暖房システムでは、浴室リモコンの連動スイッチがＯＮ操作された時、湯張り運転開始後に湯張り運転に連動させて浴室暖房運転を開始させ、湯張り運転完了後に浴室暖房運転を停止させる。
【先行技術文献】
【特許文献】
【０００３】
【特許文献１】特開２００４−３４７２２２号公報
【発明の概要】
【発明が解決しようとする課題】
【０００４】
ところで、浴室暖房装置の最大暖房能力は機種や熱源の相違によって異なる。最大暖房能力の低い浴室暖房装置を浴室に設置する場合、上記浴室暖房システムであっても、湯張り運転完了時に浴室の室温が浴室暖房運転の設定温度に達しないという問題が見出された。
【０００５】
本発明は、以上の点に鑑み、入浴の際に浴室内を設定温度まで効率よく暖房でき、利便性が向上する浴室暖房システムを提供することをその課題としている。
【課題を解決するための手段】
【０００６】
上記課題を解決するために、本発明は、浴室内に設置された浴槽に湯水を供給する湯張り運転を実行可能な給湯装置と、浴槽内壁に向けて湯水又は湯水に洗剤を混合した洗浄液を散布して浴槽内壁を洗浄する浴槽洗浄運転を実行可能な浴槽洗浄装置と、浴室内を暖房する浴室暖房運転を実行可能な浴室暖房装置と、給湯装置、浴槽洗浄装置及び浴室暖房装置の運転制御を行う制御部とを備えた浴室暖房システムであって、制御部は、湯張り運転が指示された時、浴槽洗浄運転と浴室暖房運転とを並行して実行させ、浴槽洗浄運転完了後に湯張り運転を実行させることを特徴とする。
【０００７】
本発明によれば、制御部は、湯張り運転が指示された時、浴槽洗浄運転と浴室暖房運転とを並行して実行させ、浴槽洗浄運転完了後に湯張り運転を実行させるため、湯張り運転開始前から浴室内を暖房できると共に、浴槽洗浄運転時に散布する湯水の熱量で浴室暖房を補助できる。従って、入浴の際に浴室内を設定温度まで効率よく暖房でき、利便性が向上する。
【０００８】
また、本発明において、制御部は、浴室暖房装置の最大暖房能力に応じて浴槽洗浄運転時に散布する湯水温を変更させることが望ましい。これによれば、最大暖房能力が小さな浴室暖房装置の場合、浴槽洗浄運転時の湯水温を高くすることで浴室暖房の補助能力を高くすることができる。従って、浴室暖房運転の時間短縮化が図れる。また、最大暖房能力が大きな浴室暖房装置の場合、湯水温を低くすることで浴室暖房に要する熱量を低減でき、省エネルギー化が図れる。
【０００９】
更に、本発明において、浴室の室温を測定する浴室温度測定部を備え、制御部は、浴室温度測定部で測定した浴室の室温に応じて浴槽洗浄運転時に散布する湯水温を変更させることが望ましい。これによれば、浴室の室温が低い場合、浴槽洗浄運転時の湯水温を高くすることで浴室暖房の補助能力を高くすることができる。従って、浴室暖房運転の時間短縮化が図れる。また、浴室の室温が高い場合、湯水温を低くすることで浴室暖房に要する熱量を低減でき、省エネルギー化が図れる。
【図面の簡単な説明】
【００１０】
【図１】本発明の浴室暖房システムの一実施形態を概略的に示す構成図。
【図２】（ａ）は、制御部が行う給湯装置、浴槽洗浄装置及び浴室暖房装置の運転制御の一例を示すフローチャート。（ｂ）は、浴室の室温（浴室温度）と浴槽洗浄運転時の湯水温（洗浄温度）との対応表。（ｃ）は、浴室温度と浴槽洗浄運転時の湯水温（すすぎ温度）との対応表。
【図３】（ａ）は、制御部が行う給湯装置、浴槽洗浄装置及び浴室暖房装置の運転制御の別の例を示すフローチャート。（ｂ）は、浴室暖房装置の最大暖房能力（浴暖加熱能力）と洗浄温度及びすすぎ温度との対応表。
【図４】（ａ）は、制御部が行う給湯装置、浴槽洗浄装置及び浴室暖房装置の運転制御のまた別の例を示すフローチャート。（ｂ）は、浴暖加熱能力及び浴室温度と洗浄温度との対応表の一例。（ｃ）は、浴暖加熱能力及び浴室温度とすすぎ温度との対応表の一例。
【発明を実施するための形態】
【００１１】
図１を参照して、本発明の一実施形態である浴室暖房システム１を以下に説明する。浴室暖房システム１は、浴室ＢＲ内に設置された浴槽ＢＴに湯水を供給する湯張り運転を実行可能な給湯装置２と、浴槽ＢＴの内壁に向けて湯水又は湯水に洗剤を混合した洗浄液を散布して浴槽ＢＴの内壁を洗浄する浴槽洗浄運転を実行可能な浴槽洗浄装置３と、浴室ＢＲ内を暖房する浴室暖房運転を実行可能な浴室暖房装置４とを備えている。
【００１２】
給湯装置２は、浴室ＢＲの外部（屋外等）に設置される熱源機の一種であるガス給湯器又はガス給湯暖房機である。ガス給湯器又はガス給湯暖房機には、給水管５１とガス供給管５２とを介して上水と燃焼ガスとが夫々供給され、ガス給湯器又はガス給湯暖房機は、図示省略の、ガスバーナ、給湯熱交換器、風呂熱交換器、各種配管、各種弁、及び各種センサ、給湯制御部２１等を備えている。給湯装置２と浴槽ＢＴとの間に、給湯装置２で生成した湯水を浴槽ＢＴに供給する往き管５３及び浴槽ＢＴ内の湯水を給湯装置２に戻す戻り管５４が介設されている。
【００１３】
また、給湯装置２と浴槽ＢＴとの間には、浴槽洗浄運転時に給湯装置２で生成した湯水が供給される供給管５５が介設され、供給管５５の下流側に浴槽洗浄装置３が設けられている。浴槽洗浄装置３は、供給管５５の下流端に位置して浴槽ＢＴの底部に設置される、散布孔を有する洗浄ノズル３１、図示省略の洗剤タンク及び各種弁、供給管５５を介して給湯装置２から供給される湯水に洗剤タンク内の洗剤を混合して洗浄液を生成する、図示省略の洗剤混合部、浴槽洗浄制御部３２等を備えている。
【００１４】
浴室暖房装置４は、浴室ＢＲの天井上に設置され、図示省略の吹出し口及び吸込み口が浴室ＢＲ内に臨んでいる。また、浴室暖房装置４は、電気式のものであり、図示省略のモータ、ファン及びヒータ、浴室暖房制御部４１等を備えている。尚、浴室暖房装置４は、浴室暖房運転以外に、浴室ＢＲ内で洗濯物の乾燥を行う乾燥運転、ヒータを作動させずに外気を浴室ＢＲ内に導入する涼風運転、浴室ＢＲ内の空気と外気とを入れ替える換気運転等も可能である。
【００１５】
浴室ＢＲに隣接する脱衣室の内壁面には浴室暖房装置４を操作する脱衣室リモコン４２が設置されている。脱衣室リモコン４２は、図示省略の、運転状態等を表示する表示部及び各種運転をユーザーが選択して操作等できる複数の操作スイッチ等を備え、浴室暖房装置４と有線接続されている。操作スイッチの操作による入力信号は有線通信で浴室暖房装置４の浴室暖房制御部４１に入力される。
【００１６】
給湯制御部２１、浴槽洗浄制御部３２及び浴室暖房制御部４１はいずれも、ＣＰＵ，ＲＯＭ，ＲＡＭ，Ａ／Ｄコンバータ、インターフェース等を備えるマイクロコンピュータから構成され、夫々には、給湯装置２、浴槽洗浄装置３及び浴室暖房装置４の各種運転の制御に対応するプログラムが予めインストールされている。
【００１７】
また、浴室暖房システム１は、浴室ＢＲの内壁面に設置される浴室リモコン６と、台所の内壁面に設置される台所リモコン７とを備えている。浴室リモコン６及び台所リモコン７は共に、湯水の設定温度、時刻等を表示する表示部６１，７１、給湯装置２及び浴槽洗浄装置３の各種運転をユーザーが選択して操作等できる複数の操作スイッチ６２，７２等を備え、操作スイッチ６２の一つとして給湯装置２に湯張り運転を指示する操作スイッチ６２ａ，７２ａが設けられている。また、浴室リモコン６及び台所リモコン７は連動し、操作スイッチ６２，７２の中には同一の運転等を指示する操作スイッチ（例えば、操作スイッチ６２ａ，７２ａ等）があり、この同一の運転等を指示する操作スイッチが浴室リモコン６又は台所リモコン７のいずれか一方で操作されると、浴室リモコン６及び台所リモコン７の両方は同時に操作された状態になる。このような浴室リモコン６及び台所リモコン７は、給湯装置２及び浴槽洗浄装置３の両方と有線接続されている。従って、操作スイッチ６２，７２の操作によって入力される信号は、その操作内容に応じて有線通信で給湯制御部２１又は浴槽洗浄制御部３２のいずれか一方又は両方に送信される。
【００１８】
そして、浴室暖房システム１は、給湯装置２、浴槽洗浄装置３及び浴室暖房装置４の運転制御を行う制御部８を備えている。制御部８は浴室リモコン６に内蔵されている。制御部８もまた、給湯制御部２１、浴槽洗浄制御部３２及び浴室暖房制御部４１と同様に、ＣＰＵ，ＲＯＭ，ＲＡＭ，Ａ／Ｄコンバータ、インターフェース等を備えるマイクロコンピュータから構成され、給湯装置２、浴槽洗浄装置３及び浴室暖房装置４の運転制御に対応するプログラムが予めインストールされている。
【００１９】
制御部８が行う給湯装置２、浴槽洗浄装置３及び浴室暖房装置４の運転制御は、浴室リモコン６又は台所リモコン７の操作スイッチ６２ａ，７２ａがＯＮ操作され、給湯装置２の湯張り運転が指示された時、浴槽洗浄装置３の浴槽洗浄運転と浴室暖房装置４の浴室暖房運転とを並行して実行させ、浴槽洗浄運転完了後に浴室暖房運転は継続させて湯張り運転を実行させるというものである。このような制御を行うために、浴室リモコン６には赤外線発光部６３が設けられ、浴室暖房装置４には、赤外線発光部６３から照射される赤外線を受光できる位置に赤外線受光部４３が設けられて、浴室リモコン６から浴室暖房装置４に赤外線通信できるようにしている。
【００２０】
尚、赤外線発光部６３及び赤外線受光部４３は共に、赤外線受発光部に替えることができる。赤外線受発光部とすることによって、浴室暖房装置４と浴室リモコン６とは双方向の赤外線通信が可能となり、例えば、浴室暖房装置４の設置時に、最大暖房能力に関する情報信号を制御部８に赤外線通信で自動的に送信して設定することができる。勿論、浴室暖房装置４の最大暖房能力に関する情報は、浴室暖房装置４の設置時に浴室リモコン６等を介して制御部８に手動で設定することも可能である。浴室暖房装置４の最大暖房能力が設定されると、制御部８は、給湯装置２、浴槽洗浄装置３及び浴室暖房装置４の上記運転制御を浴室暖房装置４の最大暖房能力に応じて行うことができる。
【００２１】
また、浴室リモコン６には、浴室ＢＲの室温を測定する浴室温度測定部として温度センサ６４が設けられている。温度センサ６４が測定する浴室ＢＲの室温に対応する信号は制御部８に送信され、制御部８は、給湯装置２、浴槽洗浄装置３及び浴室暖房装置４の上記運転制御を浴室ＢＲの室温に応じて行うことができる。尚、温度センサ６の設置部位は、浴室リモコン６に限定されず、浴室ＢＲの室温を測定できる浴室ＢＲの内壁面、天井面等とすることもできる。
【００２２】
図２（ａ）〜図２（ｃ）を参照して、図１に示す浴室暖房システム１の制御部８が行う給湯装置２、浴槽洗浄装置３及び浴室暖房装置４の運転制御の一例を説明する。尚、図２（ａ）のフローチャートに示す制御部８の運転制御は、温度センサ６４が測定した浴室ＢＲの室温（浴室温度）のみに基づくものであり、浴室暖房装置４の最大暖房能力はこの運転制御に関与しない。
【００２３】
スタートの時点では、給湯装置２、浴槽洗浄装置３及び浴室暖房装置４の夫々に家庭用電源から電力が投入されて、給湯装置２、浴槽洗浄装置３及び浴室暖房装置４はいずれも、各種運転の待機状態となっている。また、浴槽ＢＴには蓋をせず、浴槽ＢＴの底部に設置される、図示省略の排水栓は排水トラップを閉じた状態としておく。
【００２４】
ユーザーが浴室リモコン６又は台所リモコン７の操作スイッチ６２ａ，７２ａをＯＮ操作して、制御部８に給湯装置２の湯張り運転開始の指示が入力されると（ＳＴＥＰ１）、温度センサ６４が、浴室ＢＲの室温である浴室温度Ｔｂ１を測定し、測定された浴室温度Ｔｂ１に関する信号を制御部８に出力して、制御部８はその信号に基づいて浴室温度Ｔｂ１を確認する（ＳＴＥＰ２）。制御部８には、浴室温度Ｔｂ１に対する浴槽洗浄装置３の浴槽洗浄運転時に使用する湯水の温度、即ち、洗浄温度Ｔｗが、図２（ｂ）の対応表に示す如く予め設定されている。即ち、浴室温度Ｔｂ１が低ければ洗浄温度Ｔｗを高くし、浴室温度Ｔｂ１が高ければ洗浄温度Ｔｗを低くする。また、浴室温度Ｔｂ１が高温域と低温域との間の中温域であれば、洗浄温度Ｔｗも中温域にする。ここで、浴室温度Ｔｂ１の低温域、中温域、高温域としては、例えば、１５℃未満、１５℃以上２０℃未満、２０℃以上が例示され、また、各温度範囲に対する洗浄温度Ｔｗとしては、５０℃，４０℃，３０℃が例示される。図２（ｂ）の対応表は経験値であり、制御部８は、図２（ｂ）の対応表に示す対応関係に従って洗浄温度Ｔｗを決定する（ＳＴＥＰ３）。
【００２５】
また、制御部８から給湯制御部２１及び浴槽洗浄制御部３２に浴槽洗浄運転開始の指示信号が有線通信で送信される。その指示信号を受信して給湯装置２及び浴槽洗浄装置３は浴槽洗浄運転モードとなり、先ず洗浄運転を開始する（ＳＴＥＰ４）。この洗浄運転では、制御部８が決定した洗浄温度Ｔｗの湯水を給湯装置２が生成し、生成された湯水が給湯装置２から浴槽洗浄装置３に供給管５５を介して供給される。また、浴槽洗浄装置３は、その湯水に洗剤を混合して洗浄液を生成し、生成した洗浄液を洗浄ノズル３１の散布孔から浴槽ＢＴの内壁に向けて散布する。更に、浴室リモコン６の赤外線発光部６３から浴室暖房装置４の赤外線受光部４３に浴室暖房運転開始の指示信号が赤外線通信で送信され、浴室暖房装置４は、浴室暖房制御部４１に設定された設定温度の温風を生成して浴室ＢＲ内に吹出し、浴室暖房運転を開始する（ＳＴＥＰ５）。この時、脱衣室リモコン４２は、浴室暖房運転を指示する操作スイッチがＯＮ操作された時と同じ状態となる。尚、洗浄運転と浴室暖房運転との開始順は、図２（ａ）に示すフローチャートの順とする他、逆にしても又は同時としてもよい。いずれの場合にも浴槽洗浄運転と浴室暖房運転とは並行して行われる。
【００２６】
尚、洗浄運転の開始時には、最初から洗浄液を散布するのではなく、洗浄温度Ｔｗの湯水のみを散布するプレ洗浄を行い、このプレ洗浄後、洗浄液を散布する本洗浄を行うようにしてもよい。
【００２７】
洗浄運転開始後、浴槽ＢＴの内壁洗浄が完了したか否かの判定が行われる（ＳＴＥＰ６）。この判定は、給湯装置２の給湯制御部２１が行う。給湯制御部２１には、浴槽洗浄時間に関するデータが予め設定されていて、洗浄経過時間をカウントするタイマーも設けられている。タイマーがカウントした洗浄経過時間が設定時間に達した時、給湯装置２は浴槽洗浄装置３への湯水の供給を停止し、浴槽洗浄装置３は洗浄液の生成及び散布を停止して洗浄運転が完了する。そして、この時点で温度センサ６４が再度浴室温度Ｔｂ２を測定し、制御部８は、ＳＴＥＰ２と同様にして浴室温度Ｔｂ２を確認する（ＳＴＥＰ７）。
【００２８】
洗浄運転の次はすすぎ運転である。すすぎ運転では、給湯装置２が生成して供給管５５を介して供給される湯水のみが、浴槽洗浄装置３の洗浄ノズル３１の散布孔から、洗浄液が散布された浴槽ＢＴの内壁に向けて散布される。すすぎ用の湯水の温度、即ち、すすぎ温度Ｔｒも浴室温度Ｔｂ２と図２（ｃ）の対応表に示す如く制御部８に予め設定されている。図２（ｃ）の対応表は図２（ｂ）の対応表と同一とすることができ、浴室温度Ｔｂ２の温度範囲及びこの温度範囲に対するすすぎ温度Ｔｒの数値も同じく例示される。制御部８がすすぎ温度Ｔｒを決定した後（ＳＴＥＰ８）、給湯装置２及び浴槽洗浄装置３はすすぎ運転を開始する（ＳＴＥＰ９）。
【００２９】
すすぎ運転開始後、浴槽ＢＴの内壁のすすぎが完了したか否かの判定が行われる（ＳＴＥＰ１０）。この判定も給湯制御部２１が行い、判定方法は洗浄運転完了の判定に準ずる。すすぎ運転完了が判定された時、給湯装置２は浴槽洗浄装置３への湯水の供給を停止し、浴槽洗浄装置３は湯水の散布を停止して洗浄運転が完了する。浴槽洗浄運転時間、即ち、洗浄運転開始からすすぎ運転完了までの時間として、例えば、１０分〜１５分間が例示される。
【００３０】
浴槽洗浄運転完了後、制御部８は、浴室暖房制御部４１に浴室暖房停止の指示信号を送信せずに浴室暖房装置４の浴室暖房運転は継続させ、給湯制御部２１に湯張り運転運転開始の指示信号を送信して給湯装置２を湯張り運転モードにし、湯張り運転を開始させる（ＳＴＥＰ１１）。給湯装置２は、給湯制御部２１に予め設定された温度の湯水を生成し、往き管５３を介して湯水を浴槽ＢＴに供給する。湯張り運転では、給湯運転と共に、所定水位に達した後、浴槽ＢＴ内の湯水を戻り管５４を介して給湯装置２で設定温度に調節する湯沸かし運転等も行われる。そして、湯張り運転完了を給湯制御部２１が判定する（ＳＴＥＰ１２）。この判定は、浴槽ＢＴ内の水位、湯水温等の測定結果に基づいて行うことができる。給湯量、設定温度等によって異なるが、通常、湯張り運転時間は２０分間程度である。
【００３１】
湯張り運転完了後、温度センサ６４が再々度浴室ＢＲの室温（浴室温度）を測定し、測定された浴室温度が予め設定された設定温度Ｔｂｓｅｔ以上であるか否かの判定が浴室暖房制御部４１で行われる（ＳＴＥＰ１３）。浴室温度が設定温度Ｔｂｓｅｔ以上である場合には、浴室暖房制御部４１は浴室暖房装置４の浴室暖房運転を停止させる（ＳＴＥＰ１４）。この時、浴室リモコン６及び台所リモコン７の操作スイッチ６２ａ，７２ａは自動的にＯＦＦになり、脱衣室リモコン４２では、浴室暖房運転の操作スイッチが自動的にＯＦＦになる。一方、浴室温度が設定温度Ｔｂｓｅｔ未満の場合には、浴室暖房運転が継続され、設定温度Ｔｂｓｅｔまで浴室暖房装置４は浴室ＢＲ内を暖房し続ける。
【００３２】
このように、図２（ａ）のフローチャートに示す如くの制御部８による給湯装置２、浴槽洗浄装置３及び浴室暖房装置４の運転制御によって、湯張り運転開始前から浴室ＢＲ内を暖房できると共に、浴槽洗浄運転時に散布する湯水の熱量で浴室暖房を補助できる。従って、入浴の際に浴室ＢＲ内を設定温度Ｔｂｓｅｔまで効率よく暖房でき、利便性が向上する。また、制御部８は、温度センサ６４で測定した浴室ＢＴの室温に応じて浴槽洗浄運転時に散布する湯水温を変更させるため、浴室ＢＲの室温が低い場合、浴槽洗浄運転時の湯水温を高くすることで浴室暖房の補助能力を高くすることができる。従って、浴室暖房運転の時間短縮化が図れる。また、浴室ＢＴの室温が高い場合、湯水温を低くすることで浴室暖房に要する熱量を低減でき、省エネルギー化が図れる。
【００３３】
図３（ａ）（ｂ）を参照して、図１に示す浴室暖房システム１の制御部８が行う給湯装置２、浴槽洗浄装置３及び浴室暖房装置４の運転制御の別の例を説明する。尚、図３（ａ）のフローチャートに示す制御部８の運転制御は、浴室暖房装置４の最大暖房能力（浴暖加熱能力）に応じたものであり、温度センサ６４による浴室ＢＲの浴室温度測定は浴室暖房装置４の浴室暖房運転の停止時にのみ関与する。また、図３（ａ）のフローチャートには、図２（ａ）のフローチャートと同一のＳＴＥＰに同一の符号を付し、その説明を省略する。
【００３４】
図３（ａ）のフローチャートに示す制御部８の運転制御では、図２（ａ）に示すフローチャートのＳＴＥＰ１後、制御部８は、浴室暖房装置４の最大暖房能力（浴暖加熱能力）に応じて浴槽洗浄運転時の湯温（洗浄温度Ｔｗ及びすすぎ温度Ｔｒ）を決定する（ＳＴＥＰ１５）。制御部８には、浴暖加熱能力に対する浴槽洗浄装置３の浴槽洗浄運転時に使用する湯水の洗浄温度Ｔｗ及びすすぎ温度Ｔｒが、図３（ｂ）に示す対応表の如く予め設定されている。即ち、浴暖加熱能力が低ければ洗浄温度Ｔｗ及びすすぎ温度Ｔｒを高くし、浴暖加熱能力が高ければ洗浄温度Ｔｗ及びすすぎ温度Ｔｒを低くする。また、浴暖加熱能力が高能力と低能力との間の中能力であれば、洗浄温度Ｔｗ及びすすぎ温度Ｔｒは中温域にする。ここで、浴暖加熱能力の低能力、中能力、高能力としては、例えば、１ｋｗ未満、１ｋｗ以上１０ｋｗ未満、１０ｋｗ以上が例示され、また、各能力に対する洗浄温度Ｔｗ及びすすぎ温度Ｔｒとしては、５０℃，４０℃，３０℃が例示される。図３（ｂ）に示す対応表も経験値であり、制御部８は、図３（ｂ）に示す対応表の対応関係に従って洗浄温度Ｔｗ及びすすぎ温度Ｔｒを決定する。
【００３５】
この後は、図２（ａ）のフローチャートに準じて、制御部８は、給湯装置２、浴槽洗浄装置３及び浴室暖房装置４の運転制御を行う。尚、ＳＴＥＰ１５ですすぎ温度Ｔｒも決定しているため、図３（ａ）のフローチャートに示す制御部８の運転制御では、図２（ａ）のフローチャートに示すＳＴＥＰ７及びＳＴＥＰ８を省略している。
【００３６】
このような図３（ａ）に示すフローチャートの如くの制御部８が行う給湯装置２、浴槽洗浄装置３及び浴室暖房装置４の運転制御によって、最大暖房能力が小さな浴室暖房装置４の場合、浴槽洗浄運転時の湯水温を高くすることで浴室暖房の補助能力を高くすることができる。従って、浴室暖房運転の時間短縮化が図れる。また、最大暖房能力が大きな浴室暖房装置４の場合、湯水温を低くすることで浴室暖房に要する熱量を低減でき、省エネルギー化が図れる。
【００３７】
図４（ａ）〜（ｃ）を参照して、図１に示す浴室暖房システム１の制御部８が行う給湯装置２、浴槽洗浄装置３及び浴室暖房装置４の運転制御のまた別の例を説明する。図４（ａ）のフローチャートに示す制御部８の運転制御は、図２（ａ）のフローチャートに示す運転制御と、浴槽洗浄運転時の洗浄温度Ｔｗ及びすすぎ温度Ｔｒの決定方法が異なるだけでその他は同一である。従って、図４（ａ）のフローチャートの各ＳＴＥＰには同一の符号を付し、以下ではその説明を省略する。
【００３８】
図４（ａ）のフローチャートに示す制御部８の運転制御は、浴槽洗浄運転時の洗浄温度Ｔｗ及びすすぎ温度Ｔｒを、浴室ＢＲの室温（浴室温度Ｔｂ１，Ｔｂ２）と浴室暖房装置４の暖房運転能力（浴暖加熱能力）との両方に基づいて決定する（ＳＴＥＰ３及びＳＴＥＰ８）。即ち、制御部８には、浴室温度Ｔｂ１と浴暖加熱能力との組合せに対する洗浄温度Ｔｗが、図４（ｂ）の対応表に示す如く予め設定されている。図４（ｂ）の対応表に記載した数値は、洗浄温度Ｔｗであり、単位は℃である。図４（ｂ）の対応表に示す対応関係による制御部８の洗浄温度Ｔｗの決定方法を一部例示すると、浴暖加熱能力が低能力（例えば、１ｋｗ未満）で、浴室温度Ｔｂ１が低温域（例えば、１５℃未満）である場合、制御部８は洗浄温度Ｔｗを６０℃に決定する。また、浴暖能力が中能力（例えば、１ｋｗ以上１０ｋｗ未満）で、浴室温度Ｔｂ１が中温域（例えば、１５℃以上２０℃未満）である場合、制御部８は洗浄温度Ｔｗを４５℃に決定する。更に、浴暖能力が高能力（例えば、１０ｋｗ以上）で、浴室温度Ｔｂ１が高温域（例えば、２０℃以上）である場合、制御部８は洗浄温度Ｔｗを３０℃に決定する。
【００３９】
同様に、制御部８には、浴室温度Ｔｂ２と浴暖加熱能力との組合せに対するすすぎ温度Ｔｒが、図４（ｃ）の対応表に示す如く予め設定されている。すすぎ温度Ｔｒの各設定温度は、図４（ｂ）の対応表に記載の洗浄温度Ｔｗの各設定温度と同一である。これらの図４（ｂ）（ｃ）の対応表は、既述の対応表と同様に経験値である。
【００４０】
このような図４（ａ）のフローチャートに示す如くの制御部８が行う給湯装置２、浴槽洗浄装置３及び浴室暖房装置４の運転制御は、図２（ａ）のフローチャートに示す如くの制御部８の運転制御と、図３（ａ）に示すフローチャートの如くの制御部８の運転制御とが奏する効果を併せ持つ。このため、入浴の際に浴室ＢＲ内を設定温度までより効率よく暖房でき、利便性がより向上する。
【００４１】
以上、本発明を一実施形態に関して説明したが、本発明は上記実施形態に限定されない。例えば、給湯装置２には、電気給湯器若しくはヒートポンプの単体、又はこれらとガス給湯暖房機等のハイブリッド熱源機を採用してもよい。また、浴室暖房装置４には、有線で給湯装置２とインテリジェント通信できるものを採用できる。この場合、浴室暖房装置４の最大暖房能力は設置時に自動的に制御部８に設定でき、また、操作スイッチ６２ａ，７２ａのＯＮ操作により湯張り運転が指示されると、浴室暖房装置４の浴室暖房運転の指示信号が給湯制御部２１経由で浴室暖房制御部４１に送信できる。従って、図１に示す浴室暖房装置４の赤外線受光部４３、浴室リモコン６の赤外線発光部６３及びこれらに替わる赤外線受発光部を省略できる。
【００４２】
更に、浴室暖房装置４には、給湯装置２で生成した湯水が供給され、この湯水を熱源とする気液熱交換器を備え、外気を加温して温風を浴室ＢＲ内に供給して暖房する給湯暖房式のものを採用できる。更にまた、制御部８は、台所リモコン７又は給湯装置２に内蔵してもよく、給湯装置２に内蔵する場合、制御部８は給湯制御部２１に併合可能である。そして、制御部８は、給湯制御部２１、浴槽洗浄制御部３２及び浴室暖房制御部４１を介さずに給湯装置２の湯張り運転、浴槽洗浄装置３の浴槽洗浄運転、及び浴室暖房装置４の浴室暖房運転を直接制御することも可能である。また、湯張り運転の指示は、ユーザーによる操作スイッチ６２ａ，７２ａのＯＮ操作に限られない。例えば、制御部８にタイマーを設け、このタイマーに、又は給湯制御部２１に設けられるタイマーに予め湯張り運転開始の時刻を設定して設定時刻に湯張り運転の指示が自動的に行われるようにしたり、制御部８や給湯制御部２１にインストールされたプログラムに学習機能を持たせ、ユーザーによる湯張り運転の開始時刻を記憶し、その傾向から最適と判断される開始時刻に湯張り運転の指示が自動的に行われるようにしたりすること等も可能である。
【符号の説明】
【００４３】
１…浴室暖房システム、２…給湯装置、３…浴槽洗浄装置、４…浴室暖房装置、６４…温度センサ（浴室温度測定部）、８…制御部、ＢＲ…浴室、ＢＴ…浴槽。
【図１】
2020153583.tif 000003
【図２】
2020153583.tif 000004
【図３】
2020153583.tif 000005
【図４】
2020153583.tif 000006